(57)【特許請求の範囲】
【請求項１】
ＣＴＣ中央装置に接続されたＣＴＣ回線に接続される第１通信回路と、前記ＣＴＣ回線とは別に設けられた伝送回線である他回線に接続される第２通信回路と、設置先駅の現場機器から表示情報を取得する手段と、その表示情報を保持する設置先駅データと、設置先以外の駅の現場機器に係る表示情報を保持する設置外駅データと、前記第１通信回路を介して設置先駅の機器に係る電文の受信と前記設置先駅データの表示情報の電文の送信とを行う標準通信手段と、前記第１通信回路を介して設置先以外の駅の機器に係る電文の受信と前記設置外駅データの表示情報の電文の送信とを行う第１拡張通信手段と、前記第２通信回路を介して受信した電文の表示情報を前記設置外駅データに保持させる第２拡張通信手段とを備えたＣＴＣ駅装置。
【請求項２】
線区内の各駅に配設された多数のＣＴＣ駅装置と、各ＣＴＣ駅装置に接続されたＣＴＣ回線と、このＣＴＣ回線を介して各ＣＴＣ駅装置に対する電文の送信と各ＣＴＣ駅装置からの電文の受信とを行うＣＴＣ中央装置とを備えたＣＴＣ装置において、前記多数のＣＴＣ駅装置のうち何れか一つ以上のものが請求項１のＣＴＣ駅装置になっており、更に、前記の請求項１のＣＴＣ駅装置の設置先以外の駅の現場機器からデータを取得する情報取得駅装置と、前記他回線を介して前記情報取得駅装置の取得データを前記の請求項１のＣＴＣ駅装置に集める情報収集手段とが設けられていることを特徴とするＣＴＣ装置。
【請求項３】
ＣＴＣ中央装置に接続されたＣＴＣ回線に接続される第１通信回路と、前記ＣＴＣ回線とは別に設けられた伝送回線である他回線に接続される第２通信回路と、設置先駅の現場機器から表示情報を取得する手段と、その表示情報を保持する設置先駅データと、設置先以外の駅の現場機器に係る表示情報を保持する設置外駅データと、前記第１通信回路を介して設置先駅の機器に係る電文の受信と前記設置先駅データの表示情報の電文の送信とを行う標準通信手段と、前記第１通信回路を介して設置先以外の駅の機器に係る電文の受信と前記設置外駅データの表示情報の電文の送信とを行う第１拡張通信手段と、前記第２通信回路を介して電文の送信と受信とを行うものであって前記第２通信回路経由で取得した表示情報を前記設置外駅データに保持させるとともに前記第１拡張通信手段の取得した制御情報を前記第２通信回路経由で転送する第２拡張通信手段とを備えたＣＴＣ駅装置。
【請求項４】
ＣＴＣ中央装置に接続されたＣＴＣ回線に接続される第１通信回路と、前記ＣＴＣ回線とは別に設けられた伝送回線である他回線に接続される第２通信回路と、設置先以外の駅の現場機器に係る表示情報を保持する設置外駅データと、前記第１通信回路を介して設置先以外の駅の機器に係る電文の受信と前記設置外駅データの表示情報の電文の送信とを行う第１拡張通信手段と、前記第２通信回路を介して電文の送信と受信とを行うものであって前記第２通信回路経由で取得した表示情報を前記設置外駅データに保持させるとともに前記第１拡張通信手段の取得した制御情報を前記第２通信回路経由で転送する第２拡張通信手段とを備えたＣＴＣ駅装置。
【請求項５】
前記設置外駅データが、線区内の各駅に割り振られた駅識別情報に基づいて駅単位で領域が確保されるようになっており、前記第２通信回路を介して受信した表示情報の電文に含まれている駅識別情報に対応する領域が前記設置外駅データに未だ確保されていないときには該当する領域を前記設置外駅データに確保するデータ領域拡張手段が設けられていることを特徴とする請求項３又は請求項４に記載されたＣＴＣ駅装置。
【請求項６】
前記第１通信回路を介して送受信される電文と前記第２通信回路を介して送受信される電文とで形式が異なっていることに対応して両電文における表示情報の対応関係を設定しうる表示情報対応データが設けられており、前記第２拡張通信手段が、前記第２通信回路経由で取得した表示情報を前記設置外駅データに保持させるに際して前記表示情報対応データに基づくデータ変換を行うようになっていることを特徴とする請求項３乃至請求項５の何れかに記載されたＣＴＣ駅装置。
【請求項７】
前記第１通信回路を介して送受信される電文と前記第２通信回路を介して送受信される電文とで形式が異なっていることに対応して両電文における制御情報の対応関係を設定しうる制御情報対応データが設けられており、前記第１拡張通信手段および前記第２拡張通信手段のうち何れか一方が、又は双方が協動して、前記第１拡張通信手段の取得した制御情報を前記第２通信回路経由で転送するに際して前記制御情報対応データに基づくデータ変換を行うようになっていることを特徴とする請求項３乃至請求項６の何れかに記載されたＣＴＣ駅装置。
【請求項８】
前記第１通信回路を介して送信されて来た各駅への問い掛けの電文も受信するようになっており、前記問い掛けが設置先以外の駅へのものであるときには前記設置外駅データの表示情報の電文の送信を前記第１拡張通信手段に行わせる代理応答手段が設けられていることを特徴とする請求項３乃至請求項７の何れかに記載されたＣＴＣ駅装置。
【請求項９】
前記第１通信回路を介して送信されて来た各駅への問い掛けの電文も受信するようになっており、前記問い掛けが設置先駅へのものであるときには前記設置先駅データの表示情報の電文の送信を前記標準通信手段に行わせる真正応答手段が設けられており、更に、前記問い掛けが設置先以外の駅へのものであるときには前記設置外駅データの表示情報の電文の送信を前記第１拡張通信手段に行わせる代理応答手段が設けられていることを特徴とする請求項３記載のＣＴＣ駅装置または請求項５乃至請求項７のうち請求項３を直接に若しくは間接的に引用している何れか一項に記載されたＣＴＣ駅装置。
【請求項１０】
前記第１通信回路を介して受信した制御情報が設置先以外の駅へのものであるときには該制御情報の電文の転送を前記第１拡張通信手段および前記第２拡張通信手段に行わせた後に前記設置外駅データの表示情報の電文の送信を前記第１拡張通信手段に行わせる代理制御手段が設けられていることを特徴とする請求項３乃至請求項８の何れかに記載されたＣＴＣ駅装置。
【請求項１１】
前記第１通信回路を介して受信した制御情報が設置先駅へのものであるときには該制御情報を設置先駅の現場機器へ出力する真正制御手段と、前記第１通信回路を介して受信した制御情報が設置先以外の駅へのものであるときには該制御情報の電文の転送を前記第２拡張通信手段に行わせるとともに前記設置外駅データの表示情報の電文の送信を前記第１拡張通信手段に行わせる代理制御手段とが設けられていることを特徴とする請求項３記載のＣＴＣ駅装置または請求項５乃至請求項９のうち請求項３を直接に若しくは間接的に引用している何れか一項に記載されたＣＴＣ駅装置。
【請求項１２】
線区内の各駅に配設された多数のＣＴＣ駅装置と，それらに接続されたＣＴＣ回線と，このＣＴＣ回線を介して各ＣＴＣ駅装置に対する制御情報の電文の送信および表示情報の電文の受信を行うＣＴＣ中央装置とを備えたＣＴＣ装置において前記ＣＴＣ回線の一部に伝送を妨げる障害が発生して前記ＣＴＣ回線が前記ＣＴＣ中央装置に関して伝送可能部分と伝送不能部分とに分かれた後に、
請求項１乃至請求項１１の何れかに記載された駅装置を前記ＣＴＣ回線の伝送可能部分に接続するとともに、前記ＣＴＣ回線の伝送不能部分に接続されていたＣＴＣ駅装置を前記の請求項１乃至請求項１１の何れかに記載された駅装置の接続先の他回線に接続する
ＣＴＣ復旧方法。
【請求項１３】
線区内の各駅に配設された多数の既設ＣＴＣ駅装置と，それらに接続された既設ＣＴＣ回線と，この既設ＣＴＣ回線を介して各既設ＣＴＣ駅装置に対する制御情報の電文の送信および表示情報の電文の受信を行う既設ＣＴＣ中央装置とを備えた既設ＣＴＣ装置が存在しているときに、請求項１乃至請求項１１のうち何れか一項に記載されたＣＴＣ駅装置と、前記既設ＣＴＣ回線とは別の新設ＣＴＣ回線と、この新設ＣＴＣ回線を介して各新設ＣＴＣ駅装置に対する制御情報の電文の送信および表示情報の電文の受信を行うための新設ＣＴＣ中央装置とを追加設置するとともに、前記新設ＣＴＣ回線を前記他回線として又は前記新設ＣＴＣ回線を伝送される伝文が前記新設ＣＴＣ中央装置によって転送される伝送回線を前記他回線として前記の請求項１乃至請求項１１のうち何れか一項に記載されたＣＴＣ駅装置に接続し、
それから、線区内の各駅毎に、前記既設ＣＴＣ駅装置を前記新設ＣＴＣ駅装置として又は前記既設ＣＴＣ駅装置とは別のＣＴＣ駅装置を前記新設ＣＴＣ駅装置として前記新設ＣＴＣ回線に接続する
ＣＴＣ更新方法。
【発明の詳細な説明】
【技術分野】
【０００１】
この発明は、鉄道のＣＴＣ(Centralized Traffic Control）に関し、詳しくは、それをＣＴＣ中央装置とＣＴＣ回線（伝送回線）とＣＴＣ駅装置との連携システムとして具体化したＣＴＣ装置（列車集中制御装置，ＣＴＣシステム）と、それに含まれるＣＴＣ駅装置（ユニット）と、ＣＴＣ回線の障害時にＣＴＣ装置の機能を回復させるＣＴＣ復旧方法と、既設のＣＴＣ装置を新設のＣＴＣ装置で置き換えるＣＴＣ更新方法とに関する。
【背景技術】
【０００２】
ＣＴＣ装置は(例えば特許文献１，２参照)、対象の線区内を走行する列車を管理する列車指令システムの近代化に貢献しているものであり、ＣＴＣセンタに設置された基本的には一台のＣＴＣ中央装置と、線区内の各駅に配設された多数のＣＴＣ駅装置と、それらが接続されたＣＴＣ回線（伝送回線）と具備していて、ＣＴＣ中央装置がＣＴＣ回線を介して各ＣＴＣ駅装置に対する指令送信とデータ収集を行うようになっている。そして、各ＣＴＣ駅装置に設置先駅の連動装置が接続されていると、列車指令の出した制御情報（指令）がＣＴＣ中央装置からＣＴＣ回線とＣＴＣ駅装置とを介して該当する連動装置に届けられ、それに応じて連動装置が転てつ機や信号機を作動させるとともに、該当する駅の軌道回路による列車在線状態や信号機の現示情報その他の状態報告などの表示情報（データ）が連動装置とＣＴＣ駅装置とＣＴＣ回線とを介してＣＴＣ中央装置に収集される。
【０００３】
基本的なＣＴＣ駅装置は、ＣＴＣ中央装置に接続されたＣＴＣ回線に接続される第１通信回路と、設置先駅の現場機器（信号機など）からデータ（表示情報など）を取得する手段と、そのデータを保持する第１駅データ（記憶領域）と、前記第１通信回路を介して指令（制御情報）の受信と前記第１駅データの送信とを行う送受信手段とを備えている。
また(特許文献１参照)、ＣＴＣ装置を旧形から新形へ更新する作業（ＣＴＣ更新方法）を容易にするため、更に、他のＣＴＣ回線（他回線）に接続される第２通信回路をも具備したうえで、前記送受信手段を改造することにより、前記第１通信回路と前記第２通信回路とのうち何れか一方を操作に応じて選択するとともに選択した通信回路を介して指令の受信と前記第１駅データの送信とを行うようになったＣＴＣ駅装置がある。
【０００４】
さらに(特許文献２参照)、既設の旧形ＣＴＣ装置を新設の新形ＣＴＣ装置で置き換えるＣＴＣ更新について作業の容易化を図るために、旧形ＣＴＣ回線と新形ＣＴＣ回線との双方に接続されて伝文形式を変換するＣＴＣ更新用装置も開発されている。
また、ＣＴＣ回線には、設置コスト等に応じて、ＣＴＣ中央装置から各ＣＴＣ駅装置に至る伝送経路を二方向のものから選択できる二重系の伝送回線と、迂回経路の無い一重系の伝送回線との何れかが採用されている。
【先行技術文献】
【特許文献】
【０００５】
【特許文献１】特開２００５−２９００８号公報
【特許文献２】特開２００９−２３４４２８号公報
【発明の概要】
【発明が解決しようとする課題】
【０００６】
［第１課題：コストの削減］
このような従来のＣＴＣ装置では、旧形であれ新形であれ規格に則って、ＣＴＣ中央装置がＣＴＣ回線を介して各ＣＴＣ駅装置に呼び掛けるとともに、呼び掛けられたＣＴＣ駅装置がＣＴＣ回線を介してＣＴＣ中央装置に応答するようになっている。
このため、どの駅についても、制御情報の受信と表示情報の送信という二機能を発揮する通常のＣＴＣ駅装置が設置されていた。そして、ポイントも側線も無くて制御情報の不要な棒線駅にも、通常駅と同じく、通常のＣＴＣ駅装置が設置されていた。
【０００７】
しかしながら、制御情報の不要な棒線駅にも通常駅と同じく表示情報に加えて制御情報も処理するＣＴＣ駅装置を設置するのは、設備費に絞って見れば、過剰なコストが掛かっていたと言える。
そこで、そのような過剰コストを削減するために、ＣＴＣ装置の規格を逸脱することなく且つ必要な機能は発揮するように装置を改良することが第１課題となる。
【０００８】
［第２課題：障害からの迅速な復旧］
また、ＣＴＣ回線が多重系でなく一重系にとどまっている設備状況では、ＣＴＣ回線に切断等の障害が発生すると、その先のＣＴＣ駅装置の復旧に時間が掛かっていた。
すなわち、一重系のＣＴＣ回線の一部に伝送を妨げる断線などの障害が発生すると、ＣＴＣ回線のうちＣＴＣ中央装置寄りの部分は、ＣＴＣ中央装置とＣＴＣ駅装置との通信機能が維持されるので、伝送可能部分となるが、ＣＴＣ回線のうちＣＴＣ中央装置から離れた部分は、迂回伝送ができず、ＣＴＣ中央装置とＣＴＣ駅装置との通信が不能になるので、伝送不能部分となる。そして、伝送不能部分に接続されているＣＴＣ駅装置は、ＣＴＣ回線の障害が無くなってＣＴＣ回線が完全復旧するまで、機能不全の状態になる。
そこで、ＣＴＣ回線の復旧前でも伝送不能部分のＣＴＣ駅装置がＣＴＣ中央装置と通信できるように改良することが第２課題となる。
【０００９】
［第３課題：設備更新の作業性向上］
さらに、ＣＴＣ更新に際して、新たなＣＴＣ駅装置の設置やモニタランは部分的に進めることができたが、運用切替は一斉に行わざるを得なかった。
すなわち、既設ＣＴＣ装置を新設ＣＴＣ装置で置き換えるＣＴＣ更新に際して既設ＣＴＣ回線に接続される第１通信回路と新設ＣＴＣ回線に接続される第２通信回路とを具備したＣＴＣ駅装置を用いる場合（特許文献１参照）、運用切替前は、営業運転までにＣＴＣ駅装置を総て既設ＣＴＣ回線に接続させ、営業運転時間外にＣＴＣ駅装置を新設ＣＴＣ回線に接続させて試験を行い、全試験が完了してから運用を切り替えていた。
【００１０】
また、両ＣＴＣ回線の間で伝文形式を変換するＣＴＣ更新用装置を用いる場合でも(特許文献２参照)、ＣＴＣ更新の完了を待たなくても新設ＰＲＣ（自動進路制御装置）等の試験ができるように、新設装置のモニタランに必要な情報を収集可能にはなったが、ＣＴＣ装置の運用切替は総てのＣＴＣ駅装置について一斉に行わざるを得なかった。
そこで、設備更新の作業性の更なる向上を図るために、より具体的には能率向上や負担軽減などに資する工程変更の柔軟性を高めるために、ＣＴＣ更新に際して運用切替までも部分的に進めることが可能なように改良することが第３課題となる。
【課題を解決するための手段】
【００１１】
本発明のＣＴＣ駅装置は（解決手段１）、このような課題を解決するために創案されたものであり、ＣＴＣ中央装置に接続されたＣＴＣ回線に接続される第１通信回路と、前記ＣＴＣ回線とは別に設けられた伝送回線である他回線に接続される第２通信回路と、設置先駅の現場機器から表示情報を取得する手段と、その表示情報を保持する設置先駅データと、前記第１通信回路と前記第２通信回路とのうち何れか一方を介して制御情報の電文の受信と前記設置先駅データの表示情報の電文の送信とを行う送受信手段とを備えたＣＴＣ駅装置において、設置先以外の駅の現場機器に係る表示情報を保持する設置外駅データを設けるとともに、前記送受信手段に代えて、前記第１通信回路を介して設置先駅の機器に係る電文の受信と前記設置先駅データの表示情報の電文の送信とを行う標準通信手段と、前記第１通信回路を介して設置先以外の駅の機器に係る電文の受信と前記設置外駅データの表示情報の電文の送信とを行う第１拡張通信手段と、前記第２通信回路を介して受信した電文の表示情報を前記設置外駅データに保持させる第２拡張通信手段とを設けたことを特徴とする。
【００１２】
すなわち、本発明のＣＴＣ駅装置は（解決手段１）、ＣＴＣ中央装置に接続されたＣＴＣ回線に接続される第１通信回路と、前記ＣＴＣ回線とは別に設けられた伝送回線である他回線に接続される第２通信回路と、設置先駅の現場機器から表示情報を取得する手段と、その表示情報を保持する設置先駅データと、設置先以外の駅の現場機器に係る表示情報を保持する設置外駅データと、前記第１通信回路を介して設置先駅の機器に係る電文の受信と前記設置先駅データの表示情報の電文の送信とを行う標準通信手段と、前記第１通信回路を介して設置先以外の駅の機器に係る電文の受信と前記設置外駅データの表示情報の電文の送信とを行う第１拡張通信手段と、前記第２通信回路を介して受信した電文の表示情報を前記設置外駅データに保持させる第２拡張通信手段とを備えたものである。
【００１３】
また、本発明のＣＴＣ装置は（解決手段２）、一部のＣＴＣ駅装置に上記解決手段１のＣＴＣ駅装置を組み込んだ全体システムであり、具体的には、
線区内の各駅に配設された多数のＣＴＣ駅装置と、各ＣＴＣ駅装置に接続されたＣＴＣ回線と、このＣＴＣ回線を介して各ＣＴＣ駅装置に対する電文の送信と各ＣＴＣ駅装置からの電文の受信とを行うＣＴＣ中央装置とを備えたＣＴＣ装置において、前記多数のＣＴＣ駅装置のうち何れか一つ以上のものが解決手段１のＣＴＣ駅装置になっており、更に、解決手段１のＣＴＣ駅装置の設置先以外の駅の現場機器からデータを取得する情報取得駅装置と、前記他回線を介して前記情報取得駅装置の取得データを解決手段１のＣＴＣ駅装置に集める情報収集手段とが設けられていることを特徴とする。
【００１４】
さらに、本発明のＣＴＣ駅装置は（解決手段３）、上記解決手段１のＣＴＣ駅装置であって、前記第２拡張通信手段が、前記第２通信回路を介して電文の送信も行うものであって、前記第１拡張通信手段の取得した制御情報を前記第２通信回路経由で転送するようになっていることを特徴とする。
すなわち、本発明のＣＴＣ駅装置は（解決手段３）、ＣＴＣ中央装置に接続されたＣＴＣ回線に接続される第１通信回路と、前記ＣＴＣ回線とは別に設けられた伝送回線である他回線に接続される第２通信回路と、設置先駅の現場機器から表示情報を取得する手段と、その表示情報を保持する設置先駅データと、設置先以外の駅の現場機器に係る表示情報を保持する設置外駅データと、前記第１通信回路を介して設置先駅の機器に係る電文の受信と前記設置先駅データの表示情報の電文の送信とを行う標準通信手段と、前記第１通信回路を介して設置先以外の駅の機器に係る電文の受信と前記設置外駅データの表示情報の電文の送信とを行う第１拡張通信手段と、前記第２通信回路を介して電文の送信と受信とを行うものであって前記第２通信回路経由で取得した表示情報を前記設置外駅データに保持させるとともに前記第１拡張通信手段の取得した制御情報を前記第２通信回路経由で転送する第２拡張通信手段とを備えたものである。
【００１５】
本発明のＣＴＣ駅装置は（解決手段４）、上記解決手段３のＣＴＣ駅装置の各機能のうち設置先以外の駅に係る機能を残して設置先駅に係る機能を取り去ったものであり、具体的には、
ＣＴＣ中央装置に接続されたＣＴＣ回線に接続される第１通信回路と、前記ＣＴＣ回線とは別に設けられた伝送回線である他回線に接続される第２通信回路と、設置先以外の駅の現場機器に係る表示情報を保持する設置外駅データと、前記第１通信回路を介して設置先以外の駅の機器に係る電文の受信と前記設置外駅データの表示情報の電文の送信とを行う第１拡張通信手段と、前記第２通信回路を介して電文の送信と受信とを行うものであって前記第２通信回路経由で取得した表示情報を前記設置外駅データに保持させるとともに前記第１拡張通信手段の取得した制御情報を前記第２通信回路経由で転送する第２拡張通信手段とを備えたものである。
【００１６】
また、本発明のＣＴＣ駅装置は（解決手段５）、上記解決手段３，４のＣＴＣ駅装置であって、前記設置外駅データが、線区内の各駅に割り振られた駅識別情報に基づいて駅単位で領域が確保されるようになっており、前記第２通信回路を介して受信した表示情報の電文に含まれている駅識別情報に対応する領域が前記設置外駅データに未だ確保されていないときには該当する領域を前記設置外駅データに確保するデータ領域拡張手段が設けられていることを特徴とする。
【００１７】
また、本発明のＣＴＣ駅装置は（解決手段６）、上記解決手段３〜５のＣＴＣ駅装置であって、前記第１通信回路を介して送受信される電文と前記第２通信回路を介して送受信される電文とで形式が異なっていることに対応して両電文における表示情報の対応関係を設定しうる表示情報対応データが設けられており、前記第２拡張通信手段が、前記第２通信回路経由で取得した表示情報を前記設置外駅データに保持させるに際して前記表示情報対応データに基づくデータ変換を行うようになっていることを特徴とする。
【００１８】
また、本発明のＣＴＣ駅装置は（解決手段７）、上記解決手段３〜６のＣＴＣ駅装置であって、前記第１通信回路を介して送受信される電文と前記第２通信回路を介して送受信される電文とで形式が異なっていることに対応して両電文における制御情報の対応関係を設定しうる制御情報対応データが設けられており、前記第１拡張通信手段および前記第２拡張通信手段のうち何れか一方が、又は双方が協動して、前記第１拡張通信手段の取得した制御情報を前記第２通信回路経由で転送するに際して前記制御情報対応データに基づくデータ変換を行うようになっていることを特徴とする。
【００１９】
また、本発明のＣＴＣ駅装置は（解決手段８）、上記解決手段３〜７のＣＴＣ駅装置であって、前記第１通信回路を介して送信されて来た各駅への問い掛けの電文も受信するようになっており、前記問い掛けが設置先以外の駅へのものであるときには前記設置外駅データの表示情報の電文の送信を前記第１拡張通信手段に行わせる代理応答手段が設けられていることを特徴とする。
【００２０】
また、本発明のＣＴＣ駅装置は（解決手段９）、上記解決手段３のＣＴＣ駅装置または上記解決手段５〜７のうち上記解決手段３を直接に若しくは間接的に引用している解決手段のＣＴＣ駅装置であって、前記第１通信回路を介して送信されて来た各駅への問い掛けの電文も受信するようになっており、前記問い掛けが設置先駅へのものであるときには前記設置先駅データの表示情報の電文の送信を前記標準通信手段に行わせる真正応答手段が設けられており、更に、前記問い掛けが設置先以外の駅へのものであるときには前記設置外駅データの表示情報の電文の送信を前記第１拡張通信手段に行わせる代理応答手段が設けられていることを特徴とする。
【００２１】
また、本発明のＣＴＣ駅装置は（解決手段１０）、上記解決手段３〜８のＣＴＣ駅装置であって、前記第１通信回路を介して受信した制御情報が設置先以外の駅へのものであるときには該制御情報の電文の転送を前記第１拡張通信手段および前記第２拡張通信手段に行わせた後に前記設置外駅データの表示情報の電文の送信を前記第１拡張通信手段に行わせる代理制御手段が設けられていることを特徴とする。
【００２２】
また、本発明のＣＴＣ駅装置は（解決手段１１）、上記解決手段３のＣＴＣ駅装置または上記解決手段５〜９のうち上記解決手段３を直接に若しくは間接的に引用している解決手段のＣＴＣ駅装置であって、前記第１通信回路を介して受信した制御情報が設置先駅へのものであるときには該制御情報を設置先駅の現場機器へ出力する真正制御手段と、前記第１通信回路を介して受信した制御情報が設置先以外の駅へのものであるときには該制御情報の電文の転送を前記第２拡張通信手段に行わせるとともに前記設置外駅データの表示情報の電文の送信を前記第１拡張通信手段に行わせる代理制御手段とが設けられていることを特徴とする。
【００２３】
また、本発明のＣＴＣ復旧方法は（解決手段１２）、上記解決手段１〜１１のＣＴＣ駅装置を用いてＣＴＣ回線の障害からＣＴＣ装置を復旧させる方法であり、具体的には、
線区内の各駅に配設された多数のＣＴＣ駅装置と，それらに接続されたＣＴＣ回線と，このＣＴＣ回線を介して各ＣＴＣ駅装置に対する制御情報の電文の送信および表示情報の電文の受信を行うＣＴＣ中央装置とを備えたＣＴＣ装置において前記ＣＴＣ回線の一部に伝送を妨げる障害が発生して前記ＣＴＣ回線が前記ＣＴＣ中央装置に関して伝送可能部分と伝送不能部分とに分かれた後に、
上記解決手段１〜１１のＣＴＣ駅装置を前記ＣＴＣ回線の伝送可能部分に接続するとともに、前記ＣＴＣ回線の伝送不能部分に接続されていたＣＴＣ駅装置を上記解決手段１〜１１のＣＴＣ駅装置の接続先の他回線に接続する
という方法である。
【００２４】
また、本発明のＣＴＣ更新方法は（解決手段１３）、上記解決手段１〜１１のＣＴＣ駅装置を用いて既設のＣＴＣ装置を新設のＣＴＣ装置へ段階的に更新する方法であり、具体的には、
線区内の各駅に配設された多数の既設ＣＴＣ駅装置と，それらに接続された既設ＣＴＣ回線と，この既設ＣＴＣ回線を介して各既設ＣＴＣ駅装置に対する制御情報の電文の送信および表示情報の電文の受信を行う既設ＣＴＣ中央装置とを備えた既設ＣＴＣ装置が存在しているときに、上記解決手段１〜１１のＣＴＣ駅装置と、前記既設ＣＴＣ回線とは別の新設ＣＴＣ回線と、この新設ＣＴＣ回線を介して各新設ＣＴＣ駅装置に対する制御情報の電文の送信および表示情報の電文の受信を行うための新設ＣＴＣ中央装置とを追加設置するとともに、前記新設ＣＴＣ回線を前記他回線として又は前記新設ＣＴＣ回線を伝送される伝文が前記新設ＣＴＣ中央装置によって転送される伝送回線を前記他回線として上記解決手段１〜１１のＣＴＣ駅装置に接続し、
それから、線区内の各駅毎に、前記既設ＣＴＣ駅装置を前記新設ＣＴＣ駅装置として又は前記既設ＣＴＣ駅装置とは別のＣＴＣ駅装置を前記新設ＣＴＣ駅装置として前記新設ＣＴＣ回線に接続する
という方法である。
【発明の効果】
【００２５】
このような本発明のＣＴＣ駅装置は（解決手段１）、設置先駅データと標準通信手段との協動により従来装置と同じく設置先駅に係るＣＴＣ機能を果たすとともに、新たな設置外駅データ（記憶領域）と第１拡張通信手段と第２拡張通信手段との協動により従来装置には無かった設置先以外の駅の現場機器に係る表示情報（データ）の収集報告機能を代行できるようにもなっている。そして、そのようなＣＴＣ駅装置を一部の駅に導入した本発明のＣＴＣ装置にあっては（解決手段２）、棒線駅など制御情報の要らない制御不要駅に対して情報取得駅装置を導入するとともに、その取得データを解決手段１のＣＴＣ駅装置に送る情報収集手段をも導入することにより、制御不要駅にはＣＴＣ駅装置を設置しないで済むこととなる。情報取得駅装置がＣＴＣ駅装置の規格に縛られないのでＣＴＣ駅装置より簡素かつ安価にし易いうえ、情報収集手段もＣＴＣ回線の規格に縛られないので、ＣＴＣ駅装置の第２拡張通信手段等の僅かな改造や、簡素で安価な装置の他回線への介挿接続などで具現化できるため、全体のコストについても従来より削減することができる。
【００２６】
このように、解決手段１のＣＴＣ駅装置については設置先駅データに加えて設置外駅データも保持したうえで設置外駅データの送受信に第１拡張通信手段と第２拡張通信手段を追加し、それを一部に導入した解決手段２のＣＴＣ装置については、制御不要駅にはＣＴＣ駅装置でなくそれより安価な情報取得駅装置を設置することにより設備費を削減するとともに、情報収集手段で収集したデータを解決手段１のＣＴＣ駅装置にてＣＴＣ規格適合データにしてＣＴＣ中央装置へ供することにより、ＣＴＣ装置として必要な機能を制御不要駅についても発揮することができる。
したがって、この発明によれば、低廉でありながらもＣＴＣ装置の規格を逸脱することなく而も必要な機能は発揮するＣＴＣ駅装置やＣＴＣ装置を実現することができる。
【００２７】
また、本発明のＣＴＣ駅装置にあっては（解決手段３，４）、設置外駅データと第１拡張通信手段と第２拡張通信手段との協動により従来装置には無かった設置先以外の駅の現場機器に係る制御情報（指令）の受信と表示情報（データ）の収集・送信とを代行できるようにもなっている。そのため、上述した解決手段１のＣＴＣ駅装置と同様の作用効果を奏するのに加えて、他回線に係る通信規約としてＣＴＣ回線の規格に適合したものであれ適合しないものであれ任意の通信規約を採用することができるので、ＣＴＣ復旧方法やＣＴＣ更新方法で使用する際など、他の機器に対して柔軟に適合させることができる。
したがって、この発明によれば、障害復旧の迅速化や設備更新の能率向上に資するＣＴＣ駅装置を実現することができる。
【００２８】
さらに、本発明のＣＴＣ駅装置にあっては（解決手段５）、送受信代行対象駅が複数であっても良いようにしたうえで、受信電文に含まれていた駅識別情報に基づいて送受信代行対象駅が増やせるようにもしたことにより、設置先以外の駅に係るＣＴＣ駅装置の追加や変更にも柔軟に適合することができる。
また、本発明のＣＴＣ駅装置にあっては（解決手段６，７）、表示情報対応データや制御情報対応データに基づくデータ変換によって設置外駅データのデータ形式を設置先駅データのデータ形式に合わせるようにしたことにより、電文形式の異なるＣＴＣ駅装置に係る送受信の代行も容易かつ的確に行えるものとなっている。
したがって、この発明によれば、送受信代行対象駅に係る電文形式の縛りを緩めて障害復旧の迅速化や設備更新の能率向上に資するＣＴＣ駅装置を実現することができる。
【００２９】
また、本発明のＣＴＣ駅装置にあっては（解決手段８〜１１）、ＣＴＣ中央装置から送受信代行対象駅への問い掛けに対しては表示情報の応答処理を代理応答手段にて代行するようにしたことや、ＣＴＣ中央装置から送受信代行対象駅への指令に対しては制御情報の配達処理を代理制御手段にて代行するようにしたことにより、設置先以外の駅の現場機器に係る表示情報（データ）の収集・送信や制御情報（指令）の受信の代行内容が具体化されるので、障害復旧の迅速化や設備更新の能率向上に資するＣＴＣ駅装置の実現性を高めることができる。
【００３０】
また、本発明のＣＴＣ復旧方法にあっては（解決手段１１）、障害の発生したＣＴＣ回線の伝送可能部分に本発明のＣＴＣ駅装置を接続するとともに、伝送不能部分に接続されていたＣＴＣ駅装置を他回線に接続することで、伝送不能部分の駅のＣＴＣ駅装置の動作に必要な伝送処理が本発明のＣＴＣ駅装置の代行によって再開されるようになる。そして、ＣＴＣ回線での直接的接続か或いは他回線と本発明のＣＴＣ駅装置とＣＴＣ回線とでの間接的な接続かという接続態様の違いはあっても総てのＣＴＣ駅装置がＣＴＣ中央装置と通信できる状態になるので、障害発生から短時間でＣＴＣ全体の機能が回復する。
【００３１】
そして、本格的な障害復旧については、ＣＴＣ全体の機能を損なうことなくＣＴＣ装置全体を稼動させた状態を保ちつつ、その稼動継続による制約を受けることもなく、ＣＴＣ回線の障害箇所を修理することが可能になるため、復旧作業を容易かつ迅速に進めることができる。
したがって、この発明によれば、ＣＴＣ回線の復旧前でも伝送可能部分のＣＴＣ駅装置ばかりか伝送不能部分のＣＴＣ駅装置までもが障害発生前と同じくＣＴＣ中央装置と通信することが可能になるので、障害復旧の迅速化を図ることができる。
【００３２】
また、本発明のＣＴＣ更新方法にあっては（解決手段１２）、既設のＣＴＣ装置に先ず本発明のＣＴＣ駅装置と新設ＣＴＣ回線と新設ＣＴＣ中央装置とを追加設置するが、その際、本発明のＣＴＣ駅装置は新設ＣＴＣ回線と既設ＣＴＣ回線との双方に接続する。これにより、新設ＣＴＣ回線に新設ＣＴＣ駅装置が接続されると、その新設ＣＴＣ駅装置と新設ＣＴＣ中央装置との通信が新設ＣＴＣ回線を介する直接的な態様で可能になるとともに、新設ＣＴＣ駅装置と既設ＣＴＣ中央装置との通信が新設ＣＴＣ回線と本発明のＣＴＣ駅装置と既設ＣＴＣ回線とを介在させたうえに本発明のＣＴＣ駅装置による送受信の代行を伴う間接的な態様で可能になる。そして、新設ＣＴＣ駅装置が既設ＣＴＣ中央装置と連携動作するようになる。なお、その連携動作を損なわないよう、新設ＣＴＣ中央装置の動作状態は予め制御情報の送信を控える状態たとえばモニタラン状態にしておく。
【００３３】
そうすると、新設ＣＴＣ回線に接続された新設ＣＴＣ駅装置は、本発明のＣＴＣ駅装置によって送受信を代行されて、実稼動に参加するので、その新設ＣＴＣ駅装置に設置されていた既設ＣＴＣ駅装置を既設ＣＴＣ回線から切り離せば、代行部分のＣＴＣ駅装置が更新された状態になる。これにより、ＣＴＣ全体の機能を損なうことなく代行部分を更新することが可能になるため、ＣＴＣ駅装置を一つずつ又は少数個ずつ更新してその部分だけでも運用を切り替えられるので、ＣＴＣ全体の運用を一斉に切り替えるまでもなく部分的・段階的に駅装置の更新と運用の切替とを行うことができる。
したがって、この発明によれば、ＣＴＣ更新に際して運用切替までもＣＴＣ駅装置単位で部分的に進めることができるので、設備更新の能率向上を図ることができる。
【図面の簡単な説明】
【００３４】
【図１】本発明の実施例１について、ＣＴＣ駅装置(ユニット)の構成を示すブロック図である。
【図２】本発明の実施例１について、ＣＴＣ装置(システム)の構築例を示し、（ａ）が単純な線区における駅の配置例、（ｂ）が対比される従来のＣＴＣ装置のブロック図、（ｃ）が本発明のＣＴＣ装置のブロック図である。
【図３】本発明の実施例２について、ＣＴＣ駅装置(ユニット)の構成を示すブロック図である。
【図４】本発明の実施例２について、ＣＴＣ復旧方法の前半部分を時系列で示しており、（ａ）〜（ｃ）何れもＣＴＣ装置(システム)のブロック図である。
【図５】本発明の実施例２について、ＣＴＣ復旧方法の後半部分を時系列で示しており、（ａ），（ｂ）何れもＣＴＣ装置(システム)のブロック図である。
【図６】本発明の実施例３について、ＣＴＣ復旧方法の他の具体例を時系列で示しており、（ａ）〜（ｃ）何れもＣＴＣ装置(システム)のブロック図である。
【図７】本発明の実施例４について、ＣＴＣ駅装置(ユニット)の構成を示すブロック図である。
【図８】本発明の実施例４について、ＣＴＣ更新方法の前半部分を時系列で示しており、（ａ）〜（ｄ）何れもＣＴＣ装置(システム)のブロック図である。
【図９】本発明の実施例４について、ＣＴＣ更新方法の後半部分を時系列で示しており、（ａ）〜（ｄ）何れもＣＴＣ装置(システム)のブロック図である。
【発明を実施するための形態】
【００３５】
このような本発明のＣＴＣ駅装置およびＣＴＣ装置ならびにＣＴＣ復旧方法およびＣＴＣ更新方法について、これを実施するための具体的な形態を、以下の実施例１〜４により説明する。
図１〜図２に示した実施例１は、上述した解決手段１，２，５，６，９（出願当初の請求項１，２，５，６，９）を具現化したものであり、図３〜図５に示した実施例２は、上述した解決手段３，５，６，７，９，１１，１２（出願当初の請求項３，５，６，７，９，１１，１２）を具現化したものであり、図６に示した実施例３は、その変形例であり、図７〜図９に示した実施例４は、上述した解決手段４〜８，１０，１３（出願当初の請求項４〜８，１０，１３）を具現化したものである。
なお、それらの図示に際しては、簡明化等のため、機構部や回路部などの詳細図を割愛して、ブロック図を用いた。また、ＣＴＣ装置に組み込まれたＣＴＣ駅装置の図示に際しては、ブロック内に設置先駅の記号を括弧付きで記入するとともに、設置先以外の駅の機能を代理するものについては、＠と代理駅の記号との結合文字を括弧付きで記入した。
【実施例１】
【００３６】
本発明のＣＴＣ駅装置の実施例１について、その具体的な構成を、図面を引用して説明する。図１は、ＣＴＣ駅装置２０の構成を示すブロック図である。同図において、一点鎖線の矢印は、データの参照や取得を明示するためのものである。また、同図において、破線のブロックは、ＣＴＣ駅装置２０ではないが、ＣＴＣ駅装置２０と密に関連する周辺部であり、ＣＴＣ駅装置２０を含んだＣＴＣ装置（ＣＴＣシステム）のうち、電気通信回線や信号ケーブル等でＣＴＣ駅装置２０と通信等可能に接続される部分を示している。
【００３７】
ＣＴＣ中央装置１１とＣＴＣ回線１２と現場機器１４は従来品で良いので、何れも簡潔に説明する。ＣＴＣ中央装置１１は、ＣＴＣセンタに設置されていて、自動で定期的に又は手動操作等で不定期にＣＴＣ回線１２経由で制御情報（指令）の電文や問い掛け（指令）の電文を送信したり、ＣＴＣ回線１２経由で送られてきた表示情報（応答）の電文を受信したり、それらの情報に基づいて図示しない列車集中制御および表示制御盤の処理を行い、更にＰＲＣ（自動進路制御）等の上位装置が接続されていればそれとの交信処理なども行うようになっている。
【００３８】
ＣＴＣ回線１２は、例えば４形や６形といった既定の規格に則ったメタル伝送線を用いた伝送回線であり、線区内の各駅に張り巡らされて、ＣＴＣ中央装置１１と各駅のＣＴＣ駅装置とが既定の通信規約に則って交信するのを支える。
各駅の現場機器１４は、信号機や，転てつ機，軌道回路が代表的なものであり、信号ケーブル等で直接的にＣＴＣ駅装置２０や他のＣＴＣ駅装置と接続され、あるいは連動装置が設置されていればそれを介して間接的にＣＴＣ駅装置２０や他のＣＴＣ駅装置と接続されて、それとの通信によって制御情報の受け取りや表示情報の引き渡しを行うようになっている。
【００３９】
ＣＴＣ駅装置２０は（図１参照）、従来のＣＴＣ駅装置から引き継いだ第１通信回路２１と標準通信プログラム２２と設置先駅データ２３と表示情報取得プログラム２４と制御情報出力プログラム２５とに加えて、新たに追加された指令受信振分プログラム３１と第１拡張通信プログラム３２と設置外駅データ３３と表示情報対応データ３４と第２拡張通信プログラム３５と第２通信回路３６とを具えたものであり、列車集中制御対象の線区内の何れかの駅に設置され、その設置先駅の現場機器１４と直に又は間接的に接続されるとともに、上述したＣＴＣ回線１２とも設置先駅の所で接続されるようになっている。
【００４０】
従来品踏襲部分を簡潔に説明すると、第１通信回路２１は、ＣＴＣ回線１２に接続されて、ＣＴＣ中央装置１１からＣＴＣ回線１２経由で送られてきた制御情報（指令）の電文や問い掛け（指令）の電文を受信するとともに、標準通信プログラム２２や第１拡張通信プログラム３２から引き渡された表示情報（応答）の電文をＣＴＣ回線１２経由で送信するためのハードウェアである。標準通信プログラム２２（標準通信手段，第１送受信手段）は、第１通信回路２１と指令受信振分プログラム３１とを介してＣＴＣ駅装置２０設置先駅の現場機器１４に係る制御情報の電文を受信すると、その制御情報を制御情報出力プログラム２５に引き渡すようになっている。しかも、その制御情報を制御情報出力プログラム２５がＣＴＣ駅装置２０の設置先駅の現場機器１４へ出力するようにもなっているので、この制御情報出力プログラム２５と標準通信プログラム２２と指令受信振分プログラム３１との協動によって真正制御手段が具現化されるものとなっている。
【００４１】
また、標準通信プログラム２２（標準通信手段，第１送受信手段）は、第１通信回路２１と指令受信振分プログラム３１とを介して設置先駅の現場機器１４に係る問い掛けの電文を受信すると、それに応じて、設置先駅データ２３（第１駅データ領域）に保持されている表示情報を読み出し、この表示情報の電文を第１通信回路２１とＣＴＣ回線１２にて送信するようになっている。設置先駅データ２３は、線区内の各駅に割り振られた個別の駅番号といった駅識別情報のデータ項目と、信号機や，転てつ機，軌道回路など各種の現場機器の表示情報に係る各データ項目と、その他の適宜なデータ項目とを所定配置で纏めた複数のデータ項目の集合体であり、メモリのデータ領域の一部が割り当てられている。しかも、表示情報取得プログラム２４が定期的に又は不定期でＣＴＣ駅装置２０設置先駅の各現場機器１４から表示情報を次々に取得してそれを設置先駅データ２３の該当項目に書き込むようになっているので、この表示情報取得プログラム２４と設置先駅データ２３と標準通信プログラム２２と指令受信振分プログラム３１との協動によって真正応答手段が具現化されるものとなっている。
【００４２】
指令受信振分プログラム３１は、標準通信プログラム２２の前処理機能として従来から具備されていた指令受信選別プログラムを機能拡張したものである。
従来の指令受信選別プログラムは、振り分け機能が無く、選別機能だけのものであり、第１通信回路２１の受信電文がＣＴＣ駅装置２０設置先駅宛てのものであればそれを標準通信プログラム２２に引き渡し、第１通信回路２１の受信電文がＣＴＣ駅装置２０設置先駅宛てでなければそれを無視するにようになっていたのに対し、指令受信振分プログラム３１は、次のようになっている。
【００４３】
すなわち、指令受信振分プログラム３１は、第１通信回路２１の受信電文がＣＴＣ駅装置２０設置先駅宛てのものであって而もそれが制御情報の電文や問い掛けの電文であればそれを標準通信プログラム２２に引き渡すが、第１通信回路２１の受信電文がＣＴＣ駅装置２０設置先駅宛てのものであってもそれが従来は無かった代理駅追加（拡張指示）の電文であればそれを標準通信プログラム２２でなく第１拡張通信プログラム３２に引き渡すようになっている。
さらに、指令受信振分プログラム３１は、第１通信回路２１の受信電文がＣＴＣ駅装置２０設置先駅宛てのものでなくても総てを無視するのでなく、ＣＴＣ駅装置２０設置先以外の駅であっても設置外駅データ３３にデータ領域が既に確保されている駅に係る受信電文であれば、それを第１拡張通信プログラム３２に引き渡すようになっている。
【００４４】
設置外駅データ３３は（第２駅データ領域）、設置先駅データ２３と同じデータ集合体（以下、一駅分データ領域と呼ぶ）を幾つか並べたものであり、やはりメモリのデータ領域の一部が割り当てられて、ＣＴＣ駅装置２０設置先以外の複数の駅について各駅の現場機器に係る表示情報を保持しうるようになっている。また、駅識別情報に基づいて駅単位で領域が確保されるものであり、各々の一駅分データについて、駅識別情報が未設定のものは該当する一駅分データ領域が未だ有効になっておらず、駅識別情報が既に設定されているものは、該当する一駅分データ領域が有効に確保されて、該当駅の現場機器に係る表示情報を保持しうるものになっている。
【００４５】
第１拡張通信プログラム３２（第１拡張通信手段，第２送受信手段）は、第１通信回路２１と指令受信振分プログラム３１とを介してＣＴＣ駅装置２０設置先以外の駅宛ての電文を受信すると、そして、それがＣＴＣ駅装置２０設置先以外の駅の現場機器等に係る問い掛けの電文であると、それに応じて、設置外駅データ３３における複数の一駅分データ領域のなかから駅識別情報の一致するものを選出し、この一駅分データ領域に保持されている表示情報を読み出し、この表示情報の電文を第１通信回路２１とＣＴＣ回線１２にて送信するようになっている。
【００４６】
また、この第１拡張通信プログラム３２は、指令受信振分プログラム３１から代理駅追加（拡張指示）の電文を受け取ったときには、その電文に含まれている追加対象駅の駅識別情報に対応する領域が設置外駅データ３３に確保済みか否かを確認し、未だ確保されていなければ、該当する領域を設置外駅データ３３に確保するために、駅識別情報が未だ設定されていない何れかの一駅分データ領域に対して、電文で指示された追加対象駅の駅識別情報を設定するようにもなっている。
【００４７】
第２通信回路３６は、ＣＴＣ回線１２とは別に設けられた伝送回線である他回線４１を介して電文の送受信を行うためのハードウェアである。他回線４１は、ＣＴＣ回線１２とは改訂版の異なるＣＴＣ回線でも良く、ＣＴＣ回線でない例えばイーサネット（登録商標）等でも良く、無線ＬＡＮでも良い。
表示情報対応データ３４は、データ形式変換時の対応関係を規定したデータテーブルであり、第１通信回路２１を介して送受信される電文と第２通信回路３６を介して送受信される電文とで形式が異なっているときには、そのことに対応して両電文における表示情報の対応関係たとえばデータ項目の並び順や各項目のビット数などを予め設定しておくためのものであり、通常は第２拡張通信プログラム３５のインストール時に設定される。
【００４８】
第２拡張通信プログラム３５（第２拡張通信手段，第３送受信手段・受信手段）は、第２通信回路３６を介して表示情報の電文を取得すると、その取得した表示情報を設置外駅データ３３に保持させるに際して、表示情報対応データ３４に基づくデータ変換を行って、設置外駅データ３３の各一駅分データ領域のデータ構造を設置先駅データ２３のデータ構造に合わせるようになっている。
【００４９】
また、第２拡張通信プログラム３５は、第２通信回路３６を介して他回線４１に接続されたＣＴＣ駅装置２０設置先以外の駅の現場機器等から表示情報の電文を受信するとともに、その受信電文に含まれている表示情報を設置外駅データ３３に保持させるものである。しかも、このプログラム３５は、ＣＴＣ駅装置２０設置先以外の駅であって設置外駅データ３３に一駅分データ領域確保済みの各駅について、定期的に又は不定期で、各駅の現場機器から表示情報を次々に取得してそれを設置外駅データ３３の該当項目に書き込むようになっている。そのため、この第２拡張通信プログラム３５と設置外駅データ３３と第１拡張通信プログラム３２と指令受信振分プログラム３１との協動によって代理応答手段が具現化されるものとなっている。
【００５０】
さらに、第２拡張通信プログラム３５は、他回線４１と第２通信回路３６とを介して受信した表示情報の電文に含まれている駅識別情報に対応する一駅分データ領域が設置外駅データ３３に確保済みであるか否かを確認した際に、該当する一駅分データ領域が設置外駅データ３３に未だ確保されていなかったときには、設置外駅データ３３の複数の一駅分データ領域のうち駅識別情報が未だ設定されていない何れかの一駅分データ領域に対して、受信電文の表示情報の駅識別情報を設定することで、該当する一駅分データ領域を設置外駅データ３３に確保するようになっている。
【００５１】
この実施例１のＣＴＣ駅装置２０を用いて構築される廉価版のＣＴＣ装置４０について、従来のＣＴＣ装置１０と対比して、説明する。図２は、ＣＴＣ装置(システム)の構築例を示し、（ａ）が単純な線区における駅の配置例、（ｂ）が対比される従来のＣＴＣ装置１０のブロック図、（ｃ）が本発明のＣＴＣ装置４０のブロック図である。
このＣＴＣ装置４０は、要するに、従来のＣＴＣ装置１０に属する複数・多数のＣＴＣ駅装置１３のうちＡ駅のものをＣＴＣ駅装置２０で置き換えるとともにＢ駅，Ｃ駅のものを何れも情報取得駅装置４３で置き換えたものである。
【００５２】
設置対象の線区と従来のＣＴＣ装置１０と本発明のＣＴＣ装置４０の順で詳述するが、設置対象の線区として、簡明化のため、枝分かれの無い単純な線区を挙げる（図２（ａ）参照）。この線区には、Ａ駅，Ｂ駅，Ｃ駅，…，Ｎ駅といった幾つかの駅が一列に設けられており、そのうちＡ駅とＮ駅は構内に転てつ器が設けられていて表示情報の送信だけでなく制御情報の受信も行う必要がある通常駅であるが、Ｂ駅とＣ駅は制御情報の不要な棒線駅である。そして、この線区にＣＴＣを導入する際、従来は（図２（ｂ）参照）、ＣＴＣ装置１０を設置していた。すなわち、ＣＴＣセンタにＣＴＣ中央装置１１を設置し、Ａ駅〜Ｎ駅の各駅に一台ずつＣＴＣ駅装置１３を設置して、それらをＣＴＣ回線１２に接続していた。ここで、ＣＴＣ駅装置１３は、概ね、ＣＴＣ駅装置２０から指令受信振分プログラム３１の代理応答手段および関連部分（３２〜３６）を取り去って、真性応答手段および真性制御手段（２１〜２５）を残したものであり、通常駅と棒線駅との区別なく、各駅に設置される。
【００５３】
これに対し、本実施例では、同じ線区に対して（図２（ａ）参照）、ＣＴＣの導入に際してＣＴＣ装置４０が設置される（図２（ｃ）参照）。具体的には、制御情報の不要な棒線駅であるＢ駅とＣ駅には夫々情報取得駅装置４３が設置され、その近くの通常駅であるＡ駅にはＣＴＣ駅装置２０が設置され、これらのＣＴＣ駅装置２０と情報取得駅装置４３，４３とが他回線４１に接続される。図示の例では情報収集手段４２が別ユニットになっていてＣＴＣ駅装置２０と情報取得駅装置４３との間で他回線４１に介挿接続されているが、情報収集手段４２は、独立している必要がなく、例えば第２拡張通信プログラム３５の機能拡張等にてＣＴＣ駅装置２０に組み込まれていても良い。
【００５４】
ここで、情報取得駅装置４３は、上述したＣＴＣ駅装置２０のうち表示情報取得プログラム２４と設置先駅データ２３と第２通信回路３６との夫々に相当するものと、その表示情報取得プログラム２４相当プログラムによって設置先駅の各現場機器から取得されて設置先駅データ２３相当データ領域に書き込み保持されている表示情報を第２通信回路３６相当回路経由で他回線４１に送信する手段とを具備したものであり、ＣＴＣの規則に束縛されるＣＴＣ駅装置１３よりも簡素で安価にできるものとなっている。また、情報収集手段４２は、情報取得駅装置４３，４３から夫々の表示情報を他回線４１経由で収集できるものであれば、ポーリング等の能動的手段にて表示情報を取得するものでも良く、受信のみの受動的手段にて表示情報を取得するものでも良い。さらに、他回線４１は、ＣＴＣの規則や通信規約に束縛されないので、必要な信頼性を確保できれば安価な汎用品で良い。
【００５５】
この実施例１のＣＴＣ駅装置２０及びＣＴＣ装置４０の動作等を、図１，図２を引用して、説明する。
設備設置後の実稼働に先立つ初期設定時に、Ａ駅のＣＴＣ駅装置２０の設置先駅データにはＡ駅の駅番号といったＡ駅識別情報が設定され、Ｂ駅の情報取得駅装置４３の設置先駅データにはＢ駅の駅番号といったＢ駅識別情報が設定され、Ｃ駅の情報取得駅装置４３の設置先駅データにはＣ駅の駅番号といったＣ駅識別情報が設定され、Ｎ駅のＣＴＣ駅装置１３の設置先駅データにはＮ駅の駅番号といったＮ駅識別情報が設定される。
【００５６】
そして、ＣＴＣ装置４０を稼働させると、Ａ駅のＣＴＣ駅装置２０では、表示情報取得プログラム２４の処理によってＡ駅の現場機器１４の表示情報が収集されて設置先駅データ２３に保持される。また、ＣＴＣ中央装置１１からＣＴＣ回線１２を介してＡ駅に宛てて問い掛けの電文や制御情報の電文が送信される。そのうち問い掛けの電文はそれがＣＴＣ駅装置２０に届くと第１通信回路２１と指令受信振分プログラム３１と標準通信プログラム２２とによって処理され、それに応じて、設置先駅データ２３に保持されている表示情報がＣＴＣ回線１２を介してＣＴＣ中央装置１１に送られる（真正応答）。
【００５７】
ＣＴＣ中央装置１１から送信される上記電文のうち制御情報の電文については、それがＣＴＣ駅装置２０に届くと第１通信回路２１と指令受信振分プログラム３１と標準通信プログラム２２と制御情報出力プログラム２５とによって処理され、それに含まれていた制御情報がＣＴＣ駅装置２０からＡ駅の現場機器１４へ出力される（真正制御）。
同様にして、ＣＴＣ中央装置１１からＮ駅のＣＴＣ駅装置１３へもＣＴＣ回線１２を介してＮ駅に宛てて問い掛けの電文や制御情報の電文が送信されるとともに、Ｎ駅のＣＴＣ駅装置１３では、Ｎ駅の現場機器の表示情報の収集および保持と、ＣＴＣ中央装置１１からＮ駅に宛てた問い掛けの電文に対する表示情報の返信（真正応答）と、ＣＴＣ中央装置１１からＮ駅に宛てた制御情報の電文に基づくＮ駅の現場機器への制御情報の出力（真正制御）とが行われる。
【００５８】
Ｂ駅とＣ駅についても、従来のＣＴＣ装置１０であれば各々のＣＴＣ駅装置１３，１３によって同様のことが行われるのだが、Ｂ駅，Ｃ駅に情報取得駅装置４３が設置されたＣＴＣ装置４０では、制御情報の送信と出力が行われず、ＣＴＣ駅装置２０を介した表示情報の収集が行われ（代理応答）、それに関連して代理駅追加（拡張指示）の処理も行われる。詳述すると、ＣＴＣ中央装置１１から例えばＢ駅を追加対象駅に指定した代理駅追加（拡張指示）の電文がＣＴＣ回線１２を介して送信されると、ＣＴＣ駅装置２０では、その電文から第１通信回路２１と指令受信振分プログラム３１と第１拡張通信プログラム３２との処理によってＢ駅の駅識別情報が抽出され、更に、第１拡張通信プログラム３２の処理によって設置外駅データ３３が調べられるとともにＢ駅に係る一駅分データ領域が未だ確保されていなければＢ駅に係る一駅分データ領域が確保される。
【００５９】
一方、Ｂ駅の情報取得駅装置４３ではＢ駅の現場機器から表示情報が取得され、Ｃ駅の情報取得駅装置４３ではＣ駅の現場機器から表示情報が取得され、それらの表示情報が、情報収集手段４２により他回線４１を介してＣＴＣ駅装置２０の第２通信回路３６に届けられる。そして、表示情報を受け取ったＣＴＣ駅装置２０では、第２拡張通信プログラム３５の処理によって、取得した表示情報に対して表示情報対応データ３４に基づくデータ変換が施され、それから、Ｂ駅の表示情報は設置外駅データ３３のうちＢ駅のために確保されている一駅分データ領域に保存される。一方、Ｃ駅の表示情報は、対応する一駅分データ領域が設置外駅データ３３に未だ確保されていないので、対応する一駅分データ領域の確保が先に行われ、その後、Ｃ駅用に確保された一駅分データ領域に保存される。
【００６０】
また、ＣＴＣ中央装置１１からＢ駅かＣ駅に送信された問い掛けの電文は、何れに宛てた電文も、ＣＴＣ駅装置２０の第１通信回路２１と指令受信振分プログラム３１と第１拡張通信プログラム３２とによって処理され、設置外駅データ３３のうち問い掛けの電文の宛先の駅に該当する一駅分データ領域すなわち駅識別情報の一致する一駅分データ領域から表示情報が読み出されるとともに、その表示情報がＣＴＣ駅装置２０からＣＴＣ回線１２を介してＣＴＣ中央装置１１に返送される（代理応答）。
こうして、設置先のＡ駅ばかりか設置先以外のＢ駅とＣ駅についても、現場機器の表示情報の収集とＣＴＣ中央装置１１への報告が、ＣＴＣ駅装置２０にて的確になされる。
【実施例２】
【００６１】
本発明のＣＴＣ駅装置の実施例２について、その具体的な構成を、図面を引用して説明する。図３は、ＣＴＣ駅装置５０の構成を示すブロック図である。
【００６２】
このＣＴＣ駅装置５０が上述した実施例１のＣＴＣ駅装置２０と相違するのは、代理応答に加えて代理制御も行う機能拡張によって、指令受信振分プログラム３１が指令受信振分プログラム５１になった点と、第１拡張通信プログラム３２が第１拡張通信プログラム５２になった点と、制御情報対応データ５３が追加された点と、第２拡張通信プログラム３５が第２拡張通信プログラム５４になった点である。
【００６３】
指令受信振分プログラム５１は、真正応答と真正制御と代理応答の機能の起動役を担う上述の指令受信振分プログラム３１を代理制御の機能も起動させるように機能拡張したものであり、指令受信振分プログラム３１の処理に加え、次の処理も行う。
すなわち、指令受信振分プログラム５１は、第１通信回路２１の受信電文がＣＴＣ駅装置２０設置先以外の駅宛てのものであって而も設置外駅データ３３にデータ領域が既に確保されている駅に係る受信電文であれば、それを第１拡張通信プログラム５２に引き渡すようになっている。
【００６４】
第１拡張通信プログラム５２（第１拡張通信手段，第２送受信手段）は、代理応答の機能とデータ領域確保の機能に係る処理を上述の指令受信振分プログラム５１と同様に行うのに加えて、代理制御の機能とデータ変換の機能に係る処理も行う。すなわち、第１通信回路２１と指令受信振分プログラム５１とを介してＣＴＣ駅装置５０設置先以外の駅宛ての電文を受信すると、そして、それがＣＴＣ駅装置５０設置先以外の駅の現場機器等に係る制御情報の電文であると、それに応じて、その制御情報を第２拡張通信プログラム５４に引き渡すようになっている。しかも、その際、次の制御情報対応データ５３を参照して制御情報のデータ形式を第２拡張通信プログラム５４及び他回線４１の通信規約等に適合したものに変換するようにもなっている。
【００６５】
制御情報対応データ５３は、上述した表示情報対応データ３４と同様にデータ形式変換時の対応関係を規定したデータテーブルであるが、表示情報でなく制御情報に係るものである。すなわち、第１通信回路２１を介して送受信される電文と第２通信回路３６を介して送受信される電文とで形式が異なっているときには、そのことに対応して両電文における制御情報の対応関係たとえばデータ項目の並び順や各項目のビット数などを予め設定しておくためのものであり、通常は第１拡張通信プログラム５２のインストール時に設定されるようになっている。
【００６６】
第２拡張通信プログラム５４（第２拡張通信手段，第３送受信手段・受信手段）は、上述した第２拡張通信プログラム３５に制御情報出力の機能を追加したものであり、具体的には、第１拡張通信プログラム５２から引き渡された制御情報を含む電文を第２通信回路３６を介して他回線４１経由で送信するようになっている。
そして、これらのプログラム等５１〜５４をインストールしたＣＴＣ駅装置５０は、第２拡張通信プログラム５４と第１拡張通信プログラム５２と指令受信振分プログラム５１との協動によって代理制御手段が具現化されるものとなっている。  
【００６７】
この実施例２のＣＴＣ駅装置５０を用いたＣＴＣ復旧方法について、その使用態様及び動作を、図面を引用して説明する。図４（ａ），（ｂ），（ｃ），図５（ａ），（ｂ）は、何れもＣＴＣ装置(システム)のブロック図であり、ＣＴＣ回線１２に障害１５が発生したときのＣＴＣ復旧状態を時系列で示している。
【００６８】
先ず（図４（ａ）参照）、実施例１で挙げたＣＴＣ装置１０が既に設置されて正常に稼動しているものとするが、簡明化のため、Ａ駅とＢ駅とＣ駅とにだけＣＴＣ駅装置１３が設置されている簡素な構成例で、説明する。
実装済みＣＴＣ装置に組み込まれておらず直ぐ使用に供することができる予備のＣＴＣ駅装置５０が、一台か複数台、存在するものとする。このＣＴＣ駅装置５０は、障害発生前から準備しておくのが望ましいが、復旧作業前の存在が必須ではないので、破線で図示した。また、ＣＴＣ駅装置５０は、未使用のものでも、使用後に不使用となったものでも良く、ＣＴＣ装置１０の設置箇所の近くに置かれても遠くに置かれていても良い。
【００６９】
そして（図４（ｂ）参照）、ＣＴＣ装置１０のＣＴＣ回線１２の途中たとえばＢ駅とＣ駅との間に断線等の障害１５が発生して、その障害箇所を越える伝送が妨げられると、ＣＴＣ回線１２が、ＣＴＣ中央装置１１とＡ駅のＣＴＣ駅装置１３とＢ駅のＣＴＣ駅装置１３とに接続されていてＣＴＣ中央装置１１に関して電文を送受信しうる伝送可能部分１２ａと、ＣＴＣ駅装置１３には接続されているがＣＴＣ中央装置１１に至る接続が断たれてＣＴＣ中央装置１１に関して電文を送受信できない伝送不能部分１２ｂとに分かれる。
障害１５を迅速に除去できれば良いが、ここでは手間取るものとして説明を続ける。
【００７０】
この場合（図４（ｃ）参照）、Ｃ駅に近いＢ駅では、Ｂ駅のＣＴＣ駅装置１３をＣＴＣ回線１２から切り離し、その代わりに予備のＣＴＣ駅装置５０をＢ駅に設置してその第１通信回路２１をＣＴＣ回線１２の伝送可能部分１２ａに接続するとともに、ＣＴＣ駅装置５０に設置先のＢ駅に係る初期設定を行う。また、Ｂ駅とＣ駅とに及ぶ他回線４１を敷設して、それにＣＴＣ駅装置５０の第２通信回路３６を接続する。さらに、Ｃ駅では、Ｃ駅のＣＴＣ駅装置１３をＣＴＣ回線１２の伝送不能部分１２ｂから切り離し、ＣＴＣ駅装置１３を直に又は適宜なモデム等を介在させて他回線４１に接続する。
【００７１】
また、他回線４１には情報転送手段５８も付設する。情報転送手段５８は、上述した情報収集手段４２と同様、介挿接続形の別ユニットを図示したが、独立している必要はなく、Ｃ駅のＣＴＣ駅装置１３から表示情報を他回線４１経由で収集できるものであれば、ポーリング等の能動的手段にて表示情報を取得するものでも良く、受信のみの受動的手段にて表示情報を取得するものでも良い。もっとも、情報転送手段５８は、情報収集手段４２には無かったＣＴＣ駅装置５０からＣＴＣ駅装置１３への送信も処理するものであり、ＣＴＣ駅装置５０から送信される制御情報を他回線４１を介してＣＴＣ駅装置１３に届けるようにもなっている。他回線４１は、上述の例と同様、調達容易な汎用品でも良い。
【００７２】
こうして、Ｂ駅のＣＴＣ駅装置５０とＣ駅のＣＴＣ駅装置１３とが他回線４１を介して伝送可能になると、ＣＴＣ駅装置５０の代理応答機能と代理制御機能とによりＣＴＣ中央装置１１とＣ駅とが表示情報や制御情報の電文を送受信しあえるようになる。そのため、ＣＴＣ回線１２の伝送可能部分１２ａに接続されていて元よりＣＴＣ中央装置１１と通信可能なＡ駅のＣＴＣ駅装置１３とＢ駅のＣＴＣ駅装置５０とに加えて、障害１５の影響を受けたＣ駅のＣＴＣ駅装置１３もＣＴＣ中央装置１１と通信可能な状態になるので、障害１５の両側のＡ駅，Ｂ駅，Ｃ駅すべてでＣＴＣの機能が復活する。
【００７３】
それから（図５（ａ）参照）、障害１５が取り除かれてＣＴＣ回線１２が全線復旧すると、他回線４１とＣ駅のＣＴＣ駅装置１３との接続を断つとともに、以前のようにＣＴＣ回線１２とＣ駅のＣＴＣ駅装置１３とを接続する。この状態でも、ＣＴＣ駅装置５０に操作指示等で代理応答機能と代理制御機能とを停止させる機能があれば、その指示をＣＴＣ駅装置５０に出すだけで簡便に、ＣＴＣ駅装置５０とＣ駅のＣＴＣ駅装置１３との不所望な二重動作が回避されて、Ａ駅，Ｂ駅，Ｃ駅すべてでＣＴＣの機能が維持されるので、ＣＴＣ回線１２とＣＴＣ駅装置５０との接続を断つタイミングは、Ｃ駅のＣＴＣ駅装置１３の接続と同時に限られず、その後でも行うこともできる。
【００７４】
そこで（図５（ｂ）参照）、適宜な時期に、ＣＴＣ駅装置５０をＣＴＣ回線１２から切り離すとともに、一時的にＣＴＣ回線１２から切り離されていたＢ駅のＣＴＣ駅装置１３を再びＣＴＣ回線１２に接続すると、ＣＴＣ装置１０の復旧が完了する。
そして、取り外されたＣＴＣ駅装置５０と情報転送手段５８が不使用状態・自由状態になるので、それらは、後で発生するかも知れない同様の障害に備え、予備品として保管されて、障害発生時には再利用される。
【実施例３】
【００７５】
上述した実施例２のＣＴＣ駅装置５０を用いたＣＴＣ復旧方法について、他の具体例を、図面を引用して説明する。図６（ａ）〜（ｃ）は、何れも、ＣＴＣ装置(システム)のブロック図であり、ＣＴＣ復旧方法の他の具体例を時系列で示している。
【００７６】
ここでは（図６（ａ）参照）、線区１６に沿って順にＡ駅とＢ駅とＣ駅とＤ駅とが設けられており、それら各駅に一台ずつＣＴＣ駅装置１３が設置され、それらのＣＴＣ駅装置１３，…，１３とＣＴＣ中央装置１１とがＣＴＣ回線１２で接続されて通信可能になっているものとする。
そして、そのＣＴＣ装置を用いた列車集中制御によって、一の又は複数の列車１７が、線区１６の全域あるいは任意の部分域を走行して、Ａ駅〜Ｄ駅を往来するようになっている。
【００７７】
そこに（図６（ｂ）参照）、例えば、土砂崩れやトンネル崩壊といった事故により、Ｂ駅とＣ駅との間で、線区１６には列車走行を妨げる障害１８が発生するとともに、ＣＴＣ回線１２には電文伝送を妨げる障害１５が発生して、ＣＴＣ回線１２が、ＣＴＣ駅装置１３がＣＴＣ中央装置１１と通信できる伝送可能部分１２ａと、ＣＴＣ駅装置１３がＣＴＣ中央装置１１と通信できない伝送不能部分１２ｂとに分かれたとする。
【００７８】
そうすると、列車１７の走行に関してはＡ駅・Ｂ駅の属する部分線区もＣ駅・Ｄ駅の属する部分線区も同等であるが、ＣＴＣ装置を用いる列車集中制御に関しては同等にならない。すなわち、ＣＴＣ駅装置１３が伝送可能部分１２ａに接続されているＡ駅とＢ駅については、部分域に限定されるとはいえ、ＣＴＣ装置を用いて列車集中制御を行うことができるのに対し、ＣＴＣ駅装置１３が伝送不能部分１２ｂに接続されているＣ駅とＤ駅については、ＣＴＣ装置を用いた列車集中制御が全く行えない。
【００７９】
そこで（図６（ｃ）参照）、緊急処置として、Ｂ駅のＣＴＣ駅装置１３をＣＴＣ駅装置５０で代替するとともに、ＣＴＣ回線１２の伝送不能部分１２ｂを情報転送手段５８を介して他回線４１に接続する。他回線４１や情報転送手段５８は上述したもので良いが、障害１５，１８がトンネル等に対応して長いときには、他回線４１には、専用回線より公衆回線の方が使い易く、山間地などでは有線の電気通信回線より無線の電気通信回線の方が使い易い。何れにしても、Ｂ駅に設置したＣＴＣ駅装置５０が、Ｂ駅に係る真正応答および真正制御を実行するとともに、Ｃ駅に係る代理応答および代理制御と、Ｄ駅に係る代理応答および代理制御も実行することにより、ＣＴＣ駅装置１３が伝送不能部分１２ｂに接続されているＣ駅とＤ駅についても、やはり部分域に限定されるが、ＣＴＣ装置を用いて列車集中制御を行うことができる。障害１５の復旧後は元に戻す（図６（ａ）参照）。
【実施例４】
【００８０】
本発明のＣＴＣ駅装置の実施例４について、その具体的な構成を、図面を引用して説明する。図７は、ＣＴＣ駅装置６０(ユニット)の構成を示すブロック図である。
このＣＴＣ駅装置６０が実施例２で図３に示したＣＴＣ駅装置５０と相違するのは、標準通信プログラム２２と設置先駅データ２３と表示情報取得プログラム２４と制御情報出力プログラム２５とが省かれている点と、指令受信振分プログラム５１が真正応答手段と真正制御手段とに係わる機能を省かれている点である。
【００８１】
すなわち、ＣＴＣ駅装置６０は、ＣＴＣ駅装置５０から設置先駅に係る機能を取り去って設置先以外の駅に係る機能を残したものであり、第１通信回路２１の受信電文が設置外駅データ３３にデータ領域の既に確保されている駅に係る受信電文であるか或いは設置外駅データ３３にデータ領域を確保しようとする受信電文であればそれを第１拡張通信プログラム５２に引き渡す指令受信振分プログラム６１と、何れも上述した第１通信回路２１と第１拡張通信プログラム５２と制御情報対応データ５３と設置外駅データ３３と表示情報対応データ３４と第２拡張通信プログラム５４と第２通信回路３６とを具えている。
【００８２】
なお、設置外駅データ３３にデータ領域を確保しようとする電文などＣＴＣ駅装置６０宛ての電文については、ＣＴＣ駅装置６０が線区内の何れの駅にも割り当てられていないので、ＣＴＣ駅装置６０を実在の駅に係る駅番号で特定することができないが、例えば架空の駅番号や固有の装置番号などといった謂わば拡張版の駅番号をＣＴＣ駅装置６０の識別情報に採用して、それを電文の駅識別情報のデータ項目に含めることで、ＣＴＣ中央装置１１とＣＴＣ駅装置６０とが交信できるようになっている。
【００８３】
この実施例４のＣＴＣ駅装置を用いたＣＴＣ更新方法について、その使用態様及び装置の動作を、図面を引用して説明する。
図８（ａ）〜（ｄ），図９（ａ）〜（ｄ）は、何れも、ＣＴＣ装置(システム)のブロック図であり、ＣＴＣ更新方法の一例を時系列で示している。
【００８４】
この例では、上述した実施例２の旧形ＣＴＣ装置１０（図４（ａ）参照）を新形ＣＴＣ装置７０（図９（ｄ）参照）に更新するものとする。
すなわち、線区内のＡ駅とＢ駅とＣ駅の各駅に一台ずつ設置されているＣＴＣ駅装置１３，１３，１３とＣＴＣセンタに設置されたＣＴＣ中央装置１１とそれらが接続されたＣＴＣ回線１２とが更新対象である（図８（ａ）参照）。
なお、新形ＣＴＣ装置７０と旧形ＣＴＣ装置１０との相違は、例えば型式の新旧に基づくものであり（特許文献１参照）、旧形のＣＴＣ装置１０即ちＣＴＣ中央装置１１とＣＴＣ回線１２とＣＴＣ駅装置１３とが４形なのに対し、新形ＣＴＣ装置７０即ち新形ＣＴＣ中央装置７１と新形ＣＴＣ回線７２と新形ＣＴＣ駅装置７４は６形であるものとする。
【００８５】
そうすると、ＣＴＣ更新作業では、先ず（図８（ｂ）参照）、既設のＣＴＣ回線１２と同様にＣＴＣセンタから各駅すなわちＡ駅とＢ駅を経由してＣ駅に至る新形ＣＴＣ回線７２を敷設するとともに、ＣＴＣ中央装置１１と同様にＣＴＣセンタに新形ＣＴＣ中央装置７１（他回線４１）を設置して、新形ＣＴＣ中央装置７１とＣＴＣ回線１２とを接続する。更に、本来であればＣＴＣ中央装置とＰＲＣ（自動進路制御装置）等とを接続するための上位回線７３（他回線４１）をＣＴＣセンタに導入して、その上位回線７３と新形ＣＴＣ中央装置７１とを接続する。
【００８６】
それから（図８（ｃ）参照）、上述したＣＴＣ駅装置６０をＣＴＣセンタに導入して、ＣＴＣ駅装置６０の第１通信回路２１をＣＴＣ回線１２に接続するとともに、ＣＴＣ駅装置６０の第２通信回路３６を上位回線７３に接続する。これにより、上位回線７３と新形ＣＴＣ回線７２とがＣＴＣ駅装置６０にとっての他回線４１となり、新形ＣＴＣ中央装置７１が他回線４１に介挿接続された情報転送手段となる。新形ＣＴＣ中央装置７１も、既存のＣＴＣ中央装置と同じく、ＰＲＣ等の上位装置から上位回線７３経由で送信されて来た制御情報や問い掛けの電文をそのまま又は適宜な変換を施して新形ＣＴＣ回線７２経由でＣＴＣ駅装置等の下位装置へ送信するとともに、下位装置から新形ＣＴＣ回線７２経由で送信されて来た表示情報の電文をそのまま又は適宜な変換を施して上位回線７３経由で上位装置へ送信する機能（動作モード等）を具えているからである。
【００８７】
その後は、ＣＴＣ更新対象の線区内の各駅毎に、ＣＴＣ駅装置を旧形から新形へ更新する。詳述すると、Ａ駅では（図８（ｄ）参照）、新形ＣＴＣ駅装置７４を設置してから、適宜な時期に、新形ＣＴＣ駅装置７４を新形ＣＴＣ回線７２とＡ駅の現場機器とに接続するとともに、ＣＴＣ駅装置１３を停止させて問題が無ければ撤去する。そうすると、ＣＴＣ駅装置６０がＡ駅に係る電文の送受信について代理応答手段および代理制御手段として機能するので、新形ＣＴＣ駅装置７４がＣＴＣ中央装置１１の下で適切に動作する。
【００８８】
Ｂ駅でも（図９（ａ）参照）、同様にして、ＣＴＣ駅装置１３の代わりに新形ＣＴＣ駅装置７４を導入することで、ＣＴＣ駅装置６０がＢ駅に係る電文の送受信について代理応答手段および代理制御手段として機能し、新形ＣＴＣ駅装置７４がＣＴＣ中央装置１１の下で適切に動作する。
Ｃ駅でも（図９（ｂ）参照）、同様にして、ＣＴＣ駅装置１３の代わりに新形ＣＴＣ駅装置７４を導入することで、ＣＴＣ駅装置６０がＣ駅に係る電文の送受信について代理応答手段および代理制御手段として機能し、新形ＣＴＣ駅装置７４がＣＴＣ中央装置１１の下で適切に動作する。
【００８９】
それから（図９（ｃ）参照）、上位回線７３とＣＴＣ駅装置６０との接続を断って新形ＣＴＣ中央装置７１をＣＴＣ駅装置６０から切り離し、新形ＣＴＣ中央装置７１をＣＴＣ中央装置１１から独立させた状態で新形ＣＴＣ中央装置７１を動作させるとともに、ＰＲＣ等の上位装置があればそれと新形ＣＴＣ中央装置７１とを上位回線７３にて接続する（図示せず）。そして、それら７１，７２，７４の適正動作を確認した後、旧形のＣＴＣ中央装置１１及びＣＴＣ回線１２と、一時利用のＣＴＣ駅装置６０とを、撤去する。
こうして（図９（ｄ）参照）、旧形ＣＴＣ装置１０から新形ＣＴＣ装置７０へのＣＴＣ更新が各駅毎に行われる。
【００９０】
［変形例］
上記実施例では、一駅分データ領域を設置外駅データ３３に確保する処理を第１拡張通信プログラム３２，５２だけでなく第２拡張通信プログラム３５，５４も行うようになっていたが、両方でなく何れか一方たとえば第２拡張通信プログラム３５，５４だけが行うようにしても良い。また、そのようなデータ領域確保処理を、第１拡張通信プログラム３２，５２は代理駅追加（拡張指示）の電文受信に応じて行うのに対し、第２拡張通信プログラム３５，５４は未だ確保されていないとき自動的に行うようになっていたが、それに限られる訳でなく、例えば第２拡張通信プログラム３５，５４が情報収集手段４２等の外付け装置から他回線４１を介して代理駅追加（拡張指示）の電文を受け取ったときにも或いはそのときだけ行うようにしても良い。データ領域確保処理を行うのを第２拡張通信プログラム３５，５４に行わせて第１拡張通信プログラム３２，５２には行わせないようにすることにより、指令受信振分プログラム３１など既存部分の改修が少なくて済む。
【００９１】
［その他］
上記実施例では、指令受信振分プログラム３１，５１，６１が標準通信プログラム２２や第１拡張通信プログラム３２，５２から独立したプログラムのようになっていたが、指令受信振分プログラム３１，５１，６１は、そのような独立したプログラムに限定される訳でなく、例えば、標準通信プログラム２２と第１拡張通信プログラム３２，５２から呼び出されるサブルーチンや、標準通信プログラム２２と第１拡張通信プログラム３２，５２に分散して組み込まれたものであっても良い。
【００９２】
上記実施例では、表示情報や制御情報に係るデータ変換を行うようになっていたが、ＣＴＣ回線１２経由の電文と他回線４１経由の電文とで要部のデータ形式が一致していればデータ変換は不要である。
上記実施例２，３では、制御情報に係るデータ変換を制御情報対応データ５３に基づいて行う処理を第１拡張通信プログラム５２が単独で行うようになっていたが、その処理は、制御情報対応データ５３に代わって第２拡張通信プログラム５４が行うようにしても良く、第１拡張通信プログラム５２と第２拡張通信プログラム５４とが分担・協動して行うようにしても良い。
【００９３】
上記の各実施例においては、実施例１ではＣＴＣ駅装置２０を使用し、実施例２，３ではＣＴＣ駅装置５０を使用し、実施例４ではＣＴＣ駅装置６０を使用したが、ＣＴＣ駅装置５０は、真正応答手段と真正制御手段と代理応答手段と代理制御手段とを総て具えているので、実施例２，３のＣＴＣ復旧方法だけでなく、真正応答手段と真正制御手段と代理応答手段とを具えることを要件とするＣＴＣ駅装置２０に代えて実施例１のＣＴＣ装置４０に組み込むことが可能であり、代理応答手段と代理制御手段とを具えることを要件とするＣＴＣ駅装置６０に代えて実施例４のＣＴＣ更新方法に用いることも可能である。
【産業上の利用可能性】
【００９４】
本発明のＣＴＣ装置，ＣＴＣ駅装置，ＣＴＣ復旧方法，ＣＴＣ更新方法の適用は、図示した一線状の線区に限られる訳でなく、分岐や結合などのある複雑な線区にも本発明は適用することができる。
また、ＣＴＣを利用してＰＲＣ（自動進路制御）やＥＤＰ（ダイヤ管理，運転整理）を稼動させているシステムにおけるＣＴＣ部分にも本発明は有用である。
【符号の説明】
【００９５】
１０…ＣＴＣ装置（ＣＴＣシステム）、１１…ＣＴＣ中央装置、
１２…ＣＴＣ回線、１２ａ…伝送可能部分、１２ｂ…伝送不能部分、
１３…ＣＴＣ駅装置、１４…現場機器（連動装置等）、
１５…障害（回線）、１６…線区、１７…列車、１８…障害（線路）、
２０…ＣＴＣ駅装置、２１…第１通信回路、
２２…標準通信プログラム（標準通信手段，第１送受信手段）、
２３…設置先駅データ（第１駅データ領域）、
２４…表示情報取得プログラム（表示情報取得手段）、
２５…制御情報出力プログラム（制御情報出力手段）、
３１…指令受信振分プログラム（真正応答，真正制御，代理応答手段）、
３２…第１拡張通信プログラム（第１拡張通信手段，第２送受信手段）、
３３…設置外駅データ（第２駅データ領域）、３４…表示情報対応データ、
３５…第２拡張通信プログラム（第２拡張通信手段，第３送受信手段・受信手段）、
３６…第２通信回路、
４０…ＣＴＣ装置、
４１…他回線、４２…情報収集手段、４３…情報取得駅装置、
５０…ＣＴＣ駅装置、
５１…指令受信振分プログラム（真正応答，真正制御，代理応答，代理制御手段）、
５２…第１拡張通信プログラム（データ領域確保手段，データ変換手段）、
５３…制御情報対応データ、
５４…第２拡張通信プログラム（データ領域確保手段，データ変換手段）、
５８…情報転送手段、
６０…ＣＴＣ駅装置、
６１…指令受信振分プログラム（代理応答手段，代理制御手段）、
７０…新形ＣＴＣ装置（ＣＴＣシステム）、
７１…新形ＣＴＣ中央装置、７２…新形ＣＴＣ回線（他回線）、
７３…上位回線（他回線）、７４…新形ＣＴＣ駅装置
【図１】
0006631970.tif 000002
【図２】
0006631970.tif 000003
【図３】
0006631970.tif 000004
【図４】
0006631970.tif 000005
【図５】
0006631970.tif 000006
【図６】
0006631970.tif 000007
【図７】
0006631970.tif 000008
【図８】
0006631970.tif 000009
【図９】
0006631970.tif 000010